【手続補正書】
【提出日】平成18年6月7日(2006.6.7)
【手続補正１】
【補正対象書類名】特許請求の範囲
【補正対象項目名】全文
【補正方法】変更
【補正の内容】
【特許請求の範囲】
【請求項１】
導電性の接続部に固定される部分である支持部と、外周側の巻き始端から内周側の巻き終端に向かって螺旋状に延びる導電性の変形部とが一体に形成されたスパイラル接触子において、
前記支持部は、前記巻き始端と連続して前記変形部の外周縁よりも外側の領域に延びて形成され、前記支持部は、前記外側の領域の一部分にのみ設けられていることを特徴とするスパイラル接触子。
【請求項２】
前記支持部は、前記巻き終端の中心を通る中心線と平行な縁部と、前記中心線と直交する２つの縁部とを有しており、それぞれの前記縁部は、前記変形部の外周縁よりも外側に位置している請求項１記載のスパイラル接触子。
【請求項３】
前記支持部は、前記中心線を挟んで一方の側に位置し、前記中心線を挟んで他方の側に、前記支持部が設けられていない請求項２記載のスパイラル接触子。
【請求項４】
前記支持部における前記巻き終端側と逆の側に向く縁部には、前記巻き終端側に向けて窪む凹部が形成されている請求項１記載のスパイラル接触子。
【請求項５】
前記凹部は、円弧形状に沿って形成されており、前記円弧の曲率半径は、前記支持部が設けられていない部分での前記変形部の外周縁の曲率半径よりも大きい請求項４記載のスパイラル接触子。
【請求項６】
複数の開口部が形成されたガイドフレームに、前記請求項１ないし５のいずれかに記載されたスパイラル接触子が複数設けられ、
それぞれのスパイラル接触子は、前記支持部が、前記開口部の外側において前記ガイドフレームに固定され、前記変形部が前記開口部内に位置していることを特徴とするコンタクトシート。
【請求項７】
複数の前記スパイラル接触子が、互いに直交する行方向および列方向に沿って配列しており、
行方向に並ぶ前記スパイラル接触子は、その支持部が、行方向に沿う同じ方向に向けられており、スパイラル接触子の前記変形部の外周縁が、行方向に隣接する他のスパイラル接触子の前記支持部の縁部に対向している請求項６記載のコンタクトシート。
【請求項８】
前記コンタクトシートには、前記変形部が互いに１８０度逆向きとされたスパイラル接触子が設けられている請求項６記載のコンタクトシート。
【請求項９】
複数の前記スパイラル接触子が、互いに直交する行方向および列方向に沿って配列しており、
前記列方向に隣接するスパイラル接触子は、その変形部が１８０度逆向きとされており、前記列方向に隣接するスパイラル接触子どうしは、前記変形部の外周縁と前記支持部の縁部とが対向している請求項８記載のコンタクトシート。
【請求項１０】
第１の行では、複数のスパイラル接触子が、その支持部を行方向での同じ方向に向けて配列され、前記第１の行に隣接する第２の行では、複数のスパイラル接触子が、その支持部が前記第１の行のスパイラル接触子と１８０度逆に向けられて配列されている請求項９記載のコンタクトシート。
【請求項１１】
複数の開口部が形成されたガイドフレームに、前記請求項４または５に記載されたスパイラル接触子が複数設けられ、
スパイラル接触子は、その変形部の外周縁が、隣接するスパイラル接触子の前記凹部に対向して配置されていることを特徴とするコンタクトシート。
【請求項１２】
前記請求項６ないし１１のいずれかに記載されたコンタクトシートを備えた接続装置であって、
複数のスルーホールおよび前記スルーホールの開口部に形成された導電性の接続部とを有する絶縁基板が設けられ、前記絶縁基板の表面に前記コンタクトシートが配置されて、それぞれの前記支持部が、前記接続部に接続されていることを特徴とする接続装置。
【手続補正２】
【補正対象書類名】明細書
【補正対象項目名】００１５
【補正方法】変更
【補正の内容】
【００１５】
本発明は、導電性の接続部に固定される部分である支持部と、外周側の巻き始端から内周側の巻き終端に向かって螺旋状に延びる導電性の変形部とが一体に形成されたスパイラル接触子において、
前記支持部は、前記巻き始端と連続して前記変形部の外周縁よりも外側の領域に延びて形成され、前記支持部は、前記外側の領域の一部分にのみ設けられていることを特徴とするものである。
例えば、本発明では、前記支持部は、前記巻き終端の中心を通る中心線と平行な縁部と、前記中心線と直交する２つの縁部とを有しており、それぞれの前記縁部は、前記変形部の外周縁よりも外側に位置しているものである。
また、前記支持部は、前記中心線を挟んで一方の側に位置し、前記中心線を挟んで他方の側に、前記支持部が設けられていないことが好ましい。
【手続補正３】
【補正対象書類名】明細書
【補正対象項目名】００１７
【補正方法】変更
【補正の内容】
【００１７】
本発明では、前記支持部における前記巻き終端側と逆の側に向く縁部には、前記巻き終端側に向けて窪む凹部が形成されているものであってもよい。この場合、前記凹部は、円弧形状に沿って形成されており、前記円弧の曲率半径は、前記支持部が設けられていない部分での前記変形部の外周縁の曲率半径よりも大きいことが好ましい。
【手続補正４】
【補正対象書類名】明細書
【補正対象項目名】００１９
【補正方法】変更
【補正の内容】
【００１９】
また本発明は、複数の開口部が形成されたガイドフレームに、前記スパイラル接触子が複数設けられ、
それぞれのスパイラル接触子は、前記支持部が、前記開口部の外側において前記ガイドフレームに固定され、前記変形部が前記開口部内に位置していることを特徴とするものである。
【手続補正５】
【補正対象書類名】明細書
【補正対象項目名】００２０
【補正方法】変更
【補正の内容】
【００２０】
この場合、複数の前記スパイラル接触子が、互いに直交する行方向および列方向に沿って配列しており、
行方向に並ぶ前記スパイラル接触子は、その支持部が、行方向に沿う同じ方向に向けられており、スパイラル接触子の前記変形部の外周縁が、行方向に隣接する他のスパイラル接触子の前記支持部の縁部に対向しているものが好ましい。
【手続補正６】
【補正対象書類名】明細書
【補正対象項目名】００２１
【補正方法】変更
【補正の内容】
【００２１】
上記発明では、スパイラル接触子の支持部どうしの近接配置を防止できる。
また本発明は、前記コンタクトシートを備えた接続装置であって、
複数のスルーホールと、前記スルーホールの開口部に形成された導電性の接続部とを有する絶縁基板が設けられ、前記絶縁基板の表面に前記コンタクトシートが配置されて、それぞれの前記支持部が、前記接続部に接続されていることを特徴とする。
【手続補正７】
【補正対象書類名】明細書
【補正対象項目名】００２２
【補正方法】変更
【補正の内容】
【００２２】
本発明のスパイラル接触子は、支持部が変形部の巻き始端側にのみ設けられており、それ以外の部分を開放した構造である。このため、従来は支持部であった部分、すなわち前記開放領域にも変形部を配置することが可能となるため、変形部の占める面積を多くすることが可能となる。よって、従来に比較して変形部の幅寸法を大きくすることができるため、変形部のばね定数を大きくすることが可能となる。
【手続補正８】
【補正対象書類名】明細書
【補正対象項目名】００３２
【補正方法】変更
【補正の内容】
【００３２】
スパイラル接触子１０は、図２に実線で示すような平面形状で形成されている。あるいは図２に点線で示すように前記当接部１２ｃが図示Ｚ１方向に突出する立体凸型形状に塑性変形させられた状態で形成されている。そして、このような前記スパイラル接触子１０の支持部１１は、ポリイミドなどの絶縁シートなどからなるガイドフレーム２１に固定されている。すなわち、前記ガイドフレーム２１には開口部２２が形成されており、前記支持部１１は前記開口部２２の縁周部の裏面（Ｚ２側の面）に対して接着剤などを介して固着されている。なお、図１にて点線のハッチングで示す部分が接着剤ののりしろ部分である。
【手続補正９】
【補正対象書類名】明細書
【補正対象項目名】００４７
【補正方法】変更
【補正の内容】
【００４７】
前記凹部６１ａは、変形部１２の最外周部の曲率半径ｒ１よりも大きな曲率半径ｒ２からなる円弧に沿って形成されている。このため、図６に示すように、複数のスパイラル接触子６０を並べたときに、隣り合うスパイラル接触子６０の一方の凹部６１ａに他方のスパイラル接触子６０の変形部６２を部分的に配置することができる。このため、スパイラル接触子６０では、スパイラル接触子６０の行方向の距離を密接させた状態で配置することが可能となり、単位面積当たりの実装密度を高めることができるため、ガイドフレーム上に配置可能なスパイラル接触子６０の数を増やすことが可能となる。